(57)【要約】【課題】縫製作業者が設定方向を間違えないように、明快な方向性を示す表示を付したスナップファスナを提供する。【解決手段】合成樹脂製の雄側スナップ部材（１）を任意の間隔で生地テープに成形固定した雄側テープ（３）と、合成樹脂製の雌スナップ部材（４）を任意の間隔で生地テープに成形固定した雌側テープ（６）とからなる。前記雄スナップ部材（１）と前記雌スナップ部材（４）は引き剥がしの方向性を有するものである。前記雌側テープ（３）及び前記雌側テープ（６）の少なくとも一方に方向性を示す表示（７）を付している。この表示（７）は、例えば、矢印、指図形、三角形の何れかである。この表示は、テープの地色とは異なる色彩の糸で表現したり、プリントしたり、シールを貼り付けたりすることにより目立たせるのが好ましい。【選択図】図１
0003121226.tif 000002
【実用新案登録請求の範囲】
【請求項１】
合成樹脂製の雄側スナップ部材（１）を任意の間隔で生地テープに成形固定した雄側テープ（３）と、合成樹脂製の雌スナップ部材（４）を任意の間隔で生地テープに成形固定した雌側テープ（６）とからなり、前記雄スナップ部材（１）と前記雌スナップ部材（４）は引き剥がしの方向性を有するものであるテープ付きスナップファスナにおいて、
前記雌側テープ（３）及び前記雌側テープ（６）の少なくとも一方に方向性を示す表示（７）を付したことを特徴とする引き剥がしの方向性を有するスナップファスナ。
【請求項２】
方向性を示す前記表示（７）が、矢印、指図形、三角形の何れかである請求項１記載のスナップファスナ。
【請求項３】
方向性を示す前記表示（７）が、テープの地色とは異なる色彩の糸で表現されている請求項１又は２記載のスナップファスナ。
【請求項４】
方向性を示す前記表示（７）が、テープの地色とは異なる色彩の色素でプリントされている請求項１又は２記載のスナップファスナ。
【請求項５】
方向性を示す前記表示（７）が、テープの地色とは異なる色彩のシールを付着させたものである請求項１又は２記載のスナップファスナ。
【請求項６】
方向性を示す前記表示（７）が、テープの縁に沿って設けられた複数の矢印である請求項１ないし４の何れかに記載のスナップファスナ。
【考案の詳細な説明】
【技術分野】
【０００１】
本考案は方向性を有するテープ付きスナップファスナに関し、特に、その方向性を示す表示を備えたテープ付きスナップファスナに関する。ここで「方向性を有するスナップファスナ」とは、そのファスナの雌雄部材をそれぞれ生地に取り付けると、生地同士をある方向からは容易に引き剥がすことができないが、別の方向からは簡単に引き剥がすことができるという性質をいう。このような方向性を有するスナップファスナは衣料、袋物、履き物などさまざまな分野で使用可能である。
【背景技術】
【０００２】
方向性を有するテープ付きスナップファスナとしては、本出願人自身の下記先願の発明が知られている（下記特許文献１，２参照）。
【０００３】
特許文献１の考案は、樹脂成形手段によって、合成樹脂製の雄スナップ部材を任意の間隔で生地テープに成形固定した雄側テープと、合成樹脂製の雌スナップ部材を任意の間隔で生地テープに成形固定した雌側テープとからなるテープ付きスナップファスナである。
【０００４】
生地テープに固定されている雄基体の中心から係着用突起が突設された雄スナップ部材の係着用突起について、該係着用突起部分を構成する頸部と係着用頭の内、頸部は雄基体に対して同一中心とするが、係着用頭は頸部の軸中心から偏心させて係合用縁を形成した構成とする。
【０００５】
一方、生地テープに固定されている雌基体に前記係着用突起を挿入する頭挿入用ガイド穴と係着用頭が弾性変形して通過する係着用穴及び通過した係着用頭が納まる頭室穴を形成した雌スナップ部材を、頭挿入ガイド穴については、頭挿入用ガイド穴と係着用穴とを同一中心で形成し、頭室穴については、前記雄スナップ部材の係着用頭の偏心に対応して挿入側中心から偏心した位置に形成し、その底部周囲の少なくとも偏心側に係止段を形成した構成とする。
【０００６】
このようにして形成されたスナップファスナは、引き剥がし方向により係着強度が異なる。
【０００７】
特許文献２は、特許文献１の係着強度をさらに強めた考案である。
【特許文献１】特開平１０−３３２１０号公報
【特許文献２】特開２０００−２７０９０６公報
【考案の開示】
【考案が解決しようとする課題】
【０００８】
方向性を有するスナップファスナは、前記の通り、ある方向からは容易に引き剥がすことができないが、別の方向からは簡単に引き剥がすことができるものである。従って、衣服や履物等の製品には、正しい方向に設定されることが必須である。そのためには、縫製中に作業者が間違えないようにファスナの方向性が明確に表示されていることが望ましい。
【０００９】
この方向性を示す目印として上記２先願では、スナップファスナ自身の表面に貫通孔や切り欠きを設けている。
【００１０】
しかし、貫通孔や切り欠きでは直感的に理解しにくいし、ファスナの表面なので小さく、しかも特別に着色しない限り同じ色彩であって、見づらいという欠点がある。
【００１１】
本考案は、この問題を解決するために行われたもので、縫製作業者が直感的に理解できるような明快な方向性を示す表示を付したスナップファスナを提供することを目的とする。
【課題を解決するための手段】
【００１２】
本考案の引き剥がしの方向性を有するスナップファスナは、合成樹脂製の雄側スナップ部材を任意の間隔で生地テープに成形固定した雄側テープと、合成樹脂製の雌スナップ部材を任意の間隔で生地テープに成形固定した雌側テープとからなり、前記雄スナップ部材と前記雌スナップ部材は引き剥がしの方向性を有するものであるテープ付きスナップファスナにおいて、前記雌側テープ及び前記雌側テープの少なくとも一方に方向性を示す表示を付したことを特徴とする。
【考案の効果】
【００１３】
本考案では、スナップファスナ自身の表面ではなく、テープに方向性を示す表示を付したので、表示を付する位置や形状の選択が自由になり、糸、プリント、シール等で表示できるので着色が容易となった。その結果、縫製作業者が直感的に理解できるような明快な方向性を示す表示を設けることが可能となった。
【考案を実施するための最良の形態】
【００１４】
引き剥がしの方向性を有するものであるテープ付きスナップファスナとしては、前記特許文献１，２で開示したものを使用できるのはもちろん、それ以外のものでも方向性を有するものであれば使用可能である。
【００１５】
方向性を示す表示としては、例えば矢印、指図形、三角形等が使用可能である。その際、表示をテープの地色とは異なる色彩の糸で表現したり、プリントしたり、シールを貼り付けたりすることにより目立たせるのが好ましい。
【００１６】
方向性を示す表示は、普通は、雄側テープと雌側テープのどちらか一方に設ければ十分であるが、もちろん両方に設けてもよい。
【実施例１】
【００１７】
本考案の実施例を図面に基づいて詳説すると、図１は本考案の実施例に係る一対のテープ付きスナップの部分平面略図、図２は図１のＡ−Ａ線における雄スナップ部材の拡大断面図、図３は雄スナップ部材の係着面側から見た拡大平面図、図４は図１のＢ−Ｂ線における雌スナップ部材の拡大断面図、図５は雌スナップ部材の係着面の反対面側から見た拡大平面図である。
【００１８】
図１に示すように、このスナップファスナは、合成樹脂製の雄スナップ部材１の複数個を所定間隔でナイロン製又は綿製の生地テープ２に成形固定した雄側テープ３と、前記雄スナップ部材１と同材質の雌スナップ部材４の複数個を前記雄スナップ部材１と同一間隔又は異なる間隔で生地テープ５に成形固定した雌側テープ６との一対のテープ付きスナップから構成されている。なお、一対のテープ付きスナップは長尺物に製作されたものであるが、図示の都合上一部のみを示している。
【００１９】
図１に示すように、方向性を示す表示７が雄側テープ３に設けられている。この表示７は複数の矢印であり、テープの片側縁に沿ってプリントにより形成されている。ある実施例ではテープの地色が黒色であるのに対して、この矢印のプリントは白色である。
【００２０】
生地テープ２ に固定した雄スナップ部材１は、雄基体１１の中心から係着用突起１２が突設されたものである。該係着用突起１２部分を構成する頸部１３と係着用頭１４の内の頸部１３は円柱とし、頸部１３の先端部には、該頸部１３の中心軸線(c) から僅かに偏心して、頸部１３の円周より大きくした円周の係着用頭１４が形成されている。
【００２１】
この係着用頭１４は、図１、図２に示すように、長軸線上の二個の中心点間隔(e) を偏心量とし、その一方の中心点を頸部１３の中心軸線(c) に一致させ、周囲には偏心側が大きくなる係合用縁１６を形成している。そのため、平面視すれば長円形となっている。
【００２２】
雄スナップ部材１の雄基体１１については、頸部１３の根元部分であって前記偏心方向側周囲に、引っ掛かりの大きい係合用縁１６を簡単な割金型で形成するための型抜き及び頸部１３の弾性変形許容を兼ねる貫通空間１５を半円形に形成した構成となっている。この貫通空間１５が係合方向を示す位置決めの目印となる。
【００２３】
一方、生地テープ５に成形固定した雌スナップ部材４は、雌基体４１に、前記雄スナップ部材１の係着用突起１２を挿入する頭挿入用ガイド穴４２と、係着用突起１２の係着用頭１４が弾性変形して通過する係着用穴４３及び通過した係着用頭１４が納まる頭室穴４４とが形成されている。頭挿入ガイド穴４２は、頭挿入用ガイド穴４２と係着用穴４３とを同一中心で形成している。頭室穴４４は、前記雄スナップ部材１の係着用頭１４の中心点間隔(e)分だけ挿入側中心から偏心した位置に形成して、その底部周囲に前記係着用穴４３に対する頭室穴４４の偏心と寸法差によって形成される係止段４５を形成している。該係止段４５が形成されている側の雌基体４１の表面に係合方向を示す凹み４６が形成されている。
【００２４】
なお、図面中の符号(a) は、成形段階において生地テープ２、５を挟着するために成形金型のピンによって形成されたピン孔である。
【００２５】
上記のように構成された雄スナップ部材１と雌スナップ部材４との係着状態及び分離状態は図６、図７に示す通りである。係着状態を図６を参考に説明すると、係合方向を示す位置決めの目印となる貫通空間１５と凹み４６とを同一方向に一致させた状態で、雄スナップ部材１の係着用突起１２を、雌スナップ部材４の頭挿入用ガイド穴４２から係着用穴４３に押し込み、該係着用穴４３と係着用頭１４に弾性変形を与えながら係着用頭１４を頭室穴４５に納めることによって、係着用頭１４の係合用縁１６が係止段４５に係止され、雄スナップ部材１と雌スナップ部材４とは係着される。
【００２６】
このように係着された状態で生地テープ２ 、５ が互いに横方向（ブロック矢印で示すが、これは本考案における方向性を示す表示ではない）に引っ張られると、雄スナップ部材１の係着用突起１４の頸部１３が、雌スナップ部材４の係着用穴４３内を偏心方向に移動して、偏心によって形成された幅広側の係止段４５に、偏心によって形成された張り出し量の大きくなった係着用頭１４の係合用縁１６が係合されて、両者の係着強度が強くなり、不用意に外れることがなくなる。
【００２７】
次に、雄スナップ部材１と雌スナップ部材４ との係着を解除する場合について図７を参考にして説明する。前記とは逆の引っ張りと分離方向（ブロック矢印で示すが、これは本考案における方向性を示す表示ではない）の力を生地テープ５に作用させると、係着用突起１４の頸部１３が、雌スナップ部材４ の係着用穴４３内を前記とは逆方向に移動して、係着用穴４３の幅広側の係止段４５と係着用頭１４の係合用縁４６との係合状態が緩くなることと、係着用突起１２の根元部分に形成した貫通空間１５によって、係着用突起１２の貫通空間方向への弾性変形スパンが長くなり、したがって分離方向に作用する力によって係着用突起１２が弾性変形（想像線の状態）し易くなることから、僅かの力を加える分離操作によって簡単に雄スナップ部材１と雌スナップ部材４との係着を外すことができる。
【図面の簡単な説明】
【００２８】
【図１】本考案の実施例に係る一対のテープ付きスナップの部分平面略図である。
【図２】図１のＡ−Ａ線における雄スナップの拡大断面図である。
【図３】雄スナップの係着面側から見た拡大平面図である。
【図４】図１のＢ−Ｂ線における雌スナップの拡大断面図である。
【図５】雌スナップの係着面の反対面側から見た拡大平面図である。
【図６】雄スナップと雌スナップとの係着状態を示す断面図である。
【図７】雄スナップと雌スナップとの分離状態を示す断面図である。
【符号の説明】
【００２９】
１     雄スナップ部材
２、５ 生地テープ
３     雄側テープ
４     雌スナップ部材
６     雌側テープ
７     方向性を示す表示
１１   雄基体
１２   係着用突起
１３   頸部
１４   係着用頭
１５   貫通空間
１６   係合用縁
４１   雌基体
４２   頭挿入用ガイド穴
４３   係着用穴
４４   頭室穴
４５   係止段
４６   凹み
(c)    中心軸線
(e)    中心点間隔
(a)    ピン孔
【図１】
0003121226.tif 000003
【図２】
0003121226.tif 000004
【図３】
0003121226.tif 000005
【図４】
0003121226.tif 000006
【図５】
0003121226.tif 000007
【図６】
0003121226.tif 000008
【図７】
0003121226.tif 000009